(57)【要約】【課題】　給紙機の分野において用紙加工機械、特に印刷機に用紙を供給するための案内装置を提供すること。【解決手段】　用紙を加工する機械の給紙機において用紙の案内を改善するために、押えロッド８が設けられている。これは、設備台１の上であって、前部マーキング部もしくは上部マーキング部２の前に、用紙４の供給サイクルに同期して上下運動可能に設けられている。押えロッド８の運動は空気式駆動部によって実施される。押えロッド８はブラシ縁２２と交換可能である。【選択図】　図１
2004123384.tif 000002
【特許請求の範囲】
【請求項１】
　設備台と、該設備台に取り付けられ、用紙をその前縁部で整列させるための前部マーキ
ング部及び／又は上部マーキング部とを有する給紙機の分野における用紙加工機械、特に
印刷機に用紙を供給するための案内装置であって、前記設備台の上で前部マーキング部及
び／又は上部マーキング部の前の領域に押え装置が設けられ、この押え装置が設備台の表
面と平行に配置されている案内装置において、
　押え装置（６）が、用紙（４）を前部マーキング部及び／又は上部マーキング部（２）
の前で設備台（１）上に案内する案内エレメント（８；２２）を有し、前記押え装置（６
）は、該押え装置（６）の前記案内エレメント（８；２２）が機械サイクルで前記設備台
（１）に垂直に上下サイクル運動を実施するように、該設備台（１）の表面に垂直に振動
する駆動部を有することを特徴とする案内装置。
【請求項２】
　前記押え装置（６）が、前記設備台（１）の両側にそれぞれ１つの該設備台（１）に垂
直に運動することができる取付け具（２１）を有し、この取付け具は１つまたは複数の駆
動部によって移動可能であり、これに前記案内エレメント（８；２２）を備えることがで
きることを特徴とする、請求項１に記載の案内装置。
【請求項３】
　前記押え装置（６）が、案内エレメントとして押えロッド（８）を有し、該押えロッド
の表面は、前記設備台（１）に平行に配置された軸（２０）の周りに回転可能であること
を特徴とする、請求項１または請求項２に記載の案内装置。
【請求項４】
　前記押えロッド（８）が、堅い軸（２０）とこの軸（２０）の周りに自由に回転可能な
ローラ（２６）とを有することを特徴とする、請求項３に記載の案内装置。
【請求項５】
　前記押え装置（６）が、案内エレメントとしてブラシ縁（２２）を有し、このブラシ縁
は搬送方向（１３）に前記設備台（１）に対して傾いていることを特徴とする、請求項１または請求項２に記載の案内装置。
【請求項６】
　前記押えロッド（８）が、前記設備台（１）に対する角度位置に関して調節可能に傾けられる前記ブラシ縁（２２）を有することを特徴とする、請求項５に記載の案内装置。
【請求項７】
　前記押え装置（６）用の駆動部として空気式駆動部が設けられていることを特徴とする、請求項１から請求項６までのいずれか１項に記載の案内装置。
【請求項８】
　前記押え装置（６）用の駆動部として、各取付け具（２１）に空気式シリンダ（２３）
が設けられていることを特徴とする、請求項７に記載の案内装置。
【請求項９】
　各取付け具（２１）が、前記空気式シリンダ（２３）のピストンロッド（２４）に装着可能に設けられていることを特徴とする、請求項７または請求項８に記載の案内装置。
【請求項１０】
　各取付け具（２１）が、案内部（２５）において設備台（１）に垂直に案内されること
を特徴とする、請求項７から請求項９までのいずれか１項に記載の案内装置。
【発明の詳細な説明】
【技術分野】
【０００１】
　本発明は、給紙機の分野において用紙加工機械、特に印刷機に用紙を供給するための案内装置に関する。
【０００２】
　この種類の案内装置は以前から知られている。これらの装置は、用紙加工機械の給紙機の分野で使用されており、この場合、用紙は例えば輪転機の設備台の領域で、輪転機に送る前に予め整列させるために自動的に挿入しなければならない。そのために、給紙機の上部で設備台に取り付け配置された、例えば、棒状の要素が設けられている。これによって、入ってくる用紙は平坦に保持されるので、用紙を前部マーキング部に当て、上部マーキング部の下で適切な配置にすることができる。
【背景技術】
【０００３】
　この点について、例えば、従来技術文献から、印刷機に用紙を供給するための案内装置が知られている。この案内装置によれば、下面剥離式の用紙供給で後続の用紙が印刷機械に給送される用紙の影響を受けることが回避される。特に、今排出された用紙が設備台に入ってくる後続の用紙を引き摺っていきその整列を損なうか又は妨げることが回避される。また、その後縁部がめくり上がり、それが搬送要素に接触するときに用紙の損傷を引き起こす可能性があるが、これも防止される。
　この装置は、確かに一方では、例えば、設備台又は前に置かれたコンベヤ台上で用紙を載せる表面に対して調節可能であるが、運転中にその位置が固定しているという欠点がある。これによって、敏感な印刷素材の場合に、用紙が余りに強く引っ張られて戻ってくる前部マーキング部又は上部マーキング部を通り越してしまうという欠点が生じる可能性がある。この場合、用紙の表面にしばしば損傷が生じ、そのため用紙が使えなくなる可能性がある（例えば、特許文献１参照）。
【特許文献１】独国実用新案第２９６１５９９６号公報
【発明の開示】
【発明が解決しようとする課題】
【０００４】
　したがって本発明の課題は、周知の装置の欠点を解消することである。
【課題を解決するための手段】
【０００５】
　この課題の解決策は、特許請求の範囲の請求項１に記載の特徴によって達成される。
【発明の効果】
【０００６】
　この場合、案内装置を、その調節可能性と固有の動きによって、給紙機の領域において用紙サイクル中に搬送される用紙の表面から離すことができることが特に有利である。これによって、用紙が一方ではさらに案内され、他方では余りに強く引っ張られて上部マーキング部もしくは前部マーキング部を通り越してしまうことがなくなる。
【０００７】
　有利なことには、本装置は、装置と給送される用紙との間の相対移動も回避することができる。
【発明を実施するための最良の形態】
【０００８】
　次に、本発明の一実施形態を図面によって詳細に説明する。
【０００９】
　図１に、設備台１を有する給紙機の領域を示す。設備台１の前には通常、下面剥離式の用紙４の流れを給送するための、いわゆるベルトコンベヤ台の形の搬送装置が配置されている。その際、用紙４の先端部は、先行する用紙４の後端部の下になる。
【００１０】
　設備台１は、ここでは原理的な形で示されている。設備台１には、用紙４をその前縁部で整列させるための、前部マーキング部又は上部マーキング部２が配置されている。ハウジング１０を有する押え装置６が、搬送方向１３に見て前部マーキング部あるいは上部マーキング部２より前に配置されて示されている。押え装置６の内部に、ハウジング１０内にいわゆる押えロッド８が設けられている。押えロッド８は前部マーキング部又は上部マーキング部２の近くに配置され、ハウジング１０によって、前部マーキング部又は上部マーキング部２及び設備台１の表面に対して調節することができる。調節台１にはさらに、吹出し吸込みノズル５の形の空気式案内装置が配置されている。さらに、前部マーキング部又は上部マーキング部２にはガイドローラ９が設けられている。
【００１１】
　その他に、設備台１上に押え装置６の前に配置された、用紙４の搬送方向１３を横切る側方整列のための側部マーキング部７が設けられている。
【００１２】
　用紙４は、側部マーキング部７で側部方向に整列され、前部マーキング部又は上部マーキング部２でその前縁部が整列された後、用紙加工機械によって搬送方向１３に引き取られ、設備台１から引き出される。この場合、押え装置６は、押えロッド８を介してまず下にある用紙４に対して、用紙が確実にカバーバイド２の下を案内されるように案内機能を実施する。これは波状の用紙では特に重要である。さらにまた、押えロッド８は、上の用紙４を取り去る場合に、設備台１からより高速に給送される上の用紙４の端部に対する案内装置としても作動する。
【００１３】
　図２、３に、本発明による押えロッド８の実施形態を示す。図３の押えロッド８は、軸２０上に回転可能に取り付けられている。その際に、軸２０上にはまた、ローラ２６の形の回転可能なセクションを設けることもできる。押えロッド８は、設備台１の両側で取付け具２１に垂直すなわち直角に案内部２５中で変位可能に案内される。取付け具２１の垂直案内部２５の上には、１つ又はそれぞれ１つの振動駆動部が設けられている。この振動駆動部によって、押えロッド８はその全長にわたって、給送されて用紙加工機械に導入される用紙４と同期して平行に上下運動することができる。そのために、駆動部は完全に同期して作動する。この場合、各動作サイクルの時間は基本的に機械の速度に依存し、振動駆動部の制御によって自由に制御することができる。
【００１４】
　押えロッド８は、それぞれの動作挙動に同調するために、前部マーキング部又は上部マーキング部２に対するその位置、及び設備台１上でのその作業高さが調節可能である。このために、取付け具２１を設備台１に平行に、支持装置２７中で変位可能に配置することができる。こうして、取付け具２１を、これに作用する駆動部とともに支持装置２７によって変位させることが可能である。高さの調節は、止めによって、あるいは同じく支持装置２７内の駆動部と共通に取付け具２１を変位させることによって可能である。
【００１５】
　図２は、上に示したように、押えロッド８が設けられている各取付け具２１に同じ方法でブラシ縁２２を取り付けることが可能であることを示す。ブラシ縁２２は、押えロッド８と同じ方法で給送される用紙４に対して使用することができ、ブラシ縁２２は押えロッド８と同じ案内機能を実施する。さらにブラシ縁２２を、それが下面剥離式に搬送される用紙の流れのうち第１の用紙に対してのみ使用されるように制御することもできる。これによって、この前縁部が確実に上部マーキング部の下で、また前部マーキング部に対して案内されるようにすることができる。
【００１６】
　ブラシ縁２２は、取付け具２１に取り付ける結果として、押えロッド８と同様に例えば支持装置２７によって前部マーキング部もしくは上部マーキング部２に対して、また設備台１の上の高さを調節可能である。さらに、ブラシ縁２２の取付を、設備台１の表面に対するその角度においても調節可能に行うことができる。
【００１７】
　押えロッド８の振動運動を行うための駆動装置として、両取付け具２１に各々１つの空気式駆動部を設けることが好ましい。圧縮空気のエネルギーは多くの用紙加工機械において利用可能である。さらに、このエネルギー形式は簡単に配量可能であり制御可能である。空気式駆動部を、機械のサイクル及び機械の速度とは関係なく制御することができる。これによって、押えロッド８もしくはブラシ縁２２の振動運動を、各用紙４ごとに、また様々な運転状態に変更することができる。
【００１８】
　特に、小型で簡単な空気シリンダ２３を導入すると、低コストの構造が得られる。この場合、押えロッド８又はブラシ縁２２のための取付け具２１を空気シリンダ２３のピストンロッド２４に直に取り付けることができる。取付け具２１のために、追加の簡単な短い案内部２５を備えることができる。
【００１９】
　様々な案内エレメントの使用が様々な方法で行われる。すなわち、紙の加工では、この可撓性材料は影響を受けやすいので、ブラシ縁２２を使用することが好ましい。これに対して、ボール紙には同期された押えロッド８を使用して、この堅い材料を確実に案内することができる。しかし、押えロッド８を敏感な印刷素材に使用して、前部マーキング部又は上部マーキング部における印刷素材のマーキングを回避することができる。
【図面の簡単な説明】
【００２０】
【図１】設備領域の概略図である。
【図２】案内要素の第１変形形態を示す図である。
【図３】案内要素の第２変形形態を示す図である。
【符号の説明】
【００２１】
　１　設備台
　２　前部マーキング部又は上部マーキング部
　４　用紙
　５　吹出し吸込みノズル
　６　押え装置
　７　側部マーキング部
　８　押えロッド
　９　ガイドローラ
　１０　ハウジング
　１３　搬送方向
　２０　軸
　２１　取付け具
　２２　ブラシ縁
　２３　空気式シリンダ
　２４　ピストンロッド
　２５　案内部
　２６　ローラ
　２７　支持装置
【図１】
2004123384.tif 000003
【図２】
2004123384.tif 000004
【図３】
2004123384.tif 000005